(57)【要約】      （修正有）【課題】写真立てに、デジタルカメラの再生・録画機能等をそのまま配置することで何枚もの写真を楽しめる様にしたデジタルフォトフレームを提供する。【解決手段】モニターと記憶媒体に記憶させた静止画像の再生と編集機能または、インデックス再生機能または、スライドショーでの自動再生編集機能または、静止画に音声メモを記録する機能または、動画を編集する機能または、音声つき動画再生機能または、スピーカー機能または、写真立てを組み合わせて、デジタルフォトフレームを構成する。【選択図】図２
0003153825.tif 000002
【実用新案登録請求の範囲】
【請求項１】
（１）  デジタルカメラの一部機能を写真立てとして利用することを認める。
【考案の詳細な説明】
【技術分野】
【０００１】「本考案は、従来からあるフォトフレームをよりインパクトのあるものにするためのフォトフレームに関する考案である。」
【背景技術】
【０００２】従来のフォトフレームは、固定してペーパーとなったものである。以下、図１により従来のフォトフレームについて説明する。しかし、現在では科学技術の急速な進歩により、デジタルカメラが発明されている。写真は何枚にもわたり、様々な記憶媒体に保管できるようになっている。（秋葉原で現物を確認）
【先行技術文献】
【０００３】
【特許文献】
【０００４】デジタルカメラ
【非特許文献】
【０００５】
【考案の概要】
【０００７】
【考案が解決しようとする課題】
【０００８】従来のフォトフレームは、長年に渡り様々な場面で場所で陳列されているが、陳腐化しつつある。
【課題を解決するための手段】
【０００９】従来の写真立にデジタルカメラの再生・録画・画面機能をそのまま配置して、何枚もの写真が楽しめるようにする。
【考案の効果】
【００１０】従来の写真立てが進歩して、様々な場所で何枚もの写真を楽しむことができる。また、写真は変更可能なため、写真変更プログラム、パソコンと繋ぐＵＳＢケーブル、テレビ・ビデオと接続するケーブルが欲しい人には、品物代金と手数料と情報入手が可能となる。
【産業上の利用可能性】（企  業）効果的で喜ばれる宣伝効果・斬新な企画で消費者マインドを掴める。デジタルカメラの一部分を使用するだけなので、研究開発費が大幅に削減できる。
（消費者）従来の写真たてにはない、斬新さがあり、興味を魅かれる。
【図１】
0003153825.tif 000003
【手続補正書】
【提出日】平成21年4月23日(2009.4.23)
【手続補正１】
【補正対象書類名】実用新案登録請求の範囲
【補正対象項目名】全文
【補正方法】変更
【補正の内容】
【実用新案登録請求の範囲】
【請求項１】
デジタルカメラの裏面のモニター部分と記憶媒体に記憶させた写真を連続して見ることができる再生機能と写真立てと組み合わせたデジタルフォトフレーム
0003153825.tif 000004
【手続補正２】
【補正対象書類名】明細書
【補正対象項目名】全文
【補正方法】変更
【補正の内容】
【考案の詳細な説明】
【技術分野】
【０００１】「本考案は、従来からあるフォトフレームをよりインパクトのあるものにするためのフォトフレームに関する考案である。」
【背景技術】
【０００２】従来のフォトフレームは、固定してペーパーとなったものである。以下、図１により従来のフォトフレームについて説明する。しかし、現在では科学技術の急速な進歩により、デジタルカメラが発明されている。写真は何枚にもわたり、様々な記憶媒体に保管できるようになっている。（秋葉原で現物を確認）
【先行技術文献】
【０００３】
【特許文献】
【０００４】デジタルカメラ
【非特許文献】
【０００５】
【考案の概要】
【０００７】
【考案が解決しようとする課題】
【０００８】従来のフォトフレームは、長年に渡り様々な場面で場所で陳列されているが、陳腐化しつつある。
【課題を解決するための手段】
【０００９】従来の写真立にデジタルカメラの再生・録画・画面機能をそのまま配置して、何枚もの写真が楽しめるようにする。
【考案の効果】
【００１０】従来の写真立てが進歩して、様々な場所で何枚もの写真を楽しむことができる。また、写真は変更可能なため、写真変更プログラム、パソコンと繋ぐＵＳＢケーブル、テレビ・ビデオと接続するケーブルが欲しい人には、品物代金と手数料と情報入手が可能となる。
【産業上の利用可能性】（企  業）効果的で喜ばれる宣伝効果・斬新な企画で消費者マインドを掴める。デジタルカメラの一部分を使用するだけなので、研究開発費が大幅に削減できる。
（消費者）従来の写真たてにはない、斬新さがあり、興味を魅かれる。
【図面の簡単な説明】
【図１】デジタルフォトフレームを示した平面図である。
0003153825.tif 000005
【図２】デジタルフォトフレームを示した正面図である。
0003153825.tif 000006
【図３】デジタルフォトフレームを示した背面図である。
0003153825.tif 000007
【手続補正書】
【提出日】平成21年7月13日(2009.7.13)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
モニターと記憶媒体に記憶させた静止画像の再生と編集機能または、インデックス再生機能または、スライドショーでの自動再生編集機能または、静止画に音声メモを記録する機能または、動画を編集する機能または、音声つき動画再生機能または、スピーカー機能または、写真立てを組み合わせたデジタルフォトフレーム
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】
「本考案は、従来からあるフォトフレームをよりインパクトのあるものにするためのフォトフレームに関する考案である。」
【背景技術】
【０００２】
従来のフォトフレームは、固定してペーパーとなったものである。以下、図１により従来のフォトフレームについて説明する。しかし、現在では科学技術の急速な進歩により、デジタルカメラが発明されている。写真は何枚にもわたり、様々な記憶媒体に保管できるようになっている。（秋葉原で現物を確認）
【考案の概要】
【考案が解決しようとする課題】
【０００３】
従来のフォトフレームは、長年に渡り様々な場面で場所で陳列されているが、陳腐化しつつある。
【課題を解決するための手段】
【０００４】
従来の写真立にデジタルカメラの再生・録画・画面機能をそのまま配置して、何枚もの写真が楽しめるようにする。
【考案の効果】
【０００５】
従来の写真立てが進歩して、様々な場所で何枚もの写真を楽しむことができる。また、写真は変更可能なため、写真変更プログラム、パソコンと繋ぐＵＳＢケーブル、テレビ・ビデオと接続するケーブルが欲しい人には、品物代金と手数料と情報入手が可能となる。
【図面の簡単な説明】
【０００６】
【図１】デジタルフォトフレームを示した平面図である。
【図２】デジタルフォトフレームを示した正面図である。
【図３】デジタルフォトフレームを示した背面図である。
【産業上の利用可能性】
【０００７】
（企  業）効果的で喜ばれる宣伝効果・斬新な企画で消費者マインドを掴める。デジタルカメラの一部分を使用するだけなので、研究開発費が大幅に削減できる。
（消費者）従来の写真たてにはない、斬新さがあり、興味を魅かれる。
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003153825.tif 000008
【図２】
0003153825.tif 000009
【図３】
0003153825.tif 000010